(57)【要約】【課題】互いの相対位置を変更可能な内挿部材と外挿部材とを液密にするシール部材に異物が付着することで生じる不具合の発生を抑制できる挿通構造体を提供する。【解決手段】内挿部材５４と、内挿部材５４に外挿される外挿部材４であって、内挿部材５４と外挿部材４との軸方向Ｄ１の相対位置を変更可能な外挿部材４と、外挿部材４における内挿部材５４と対向する内周面４ｊ又は内挿部材における外挿部材と対向する外周面に設けられる環状のシール保持環状凹部４ｄと、シール保持環状凹部４ｄに配置され、外挿部材４の内周面４ｊと内挿部材５４の外周面５４ｄとの間の液密のための環状液密シール部材７５と、シール保持環状凹部４ｄの近傍に設けられ、グリスＧ１を収容し、保持するための環状のグリス保持用環状溝８１〜８４と、を備える挿通構造体１０１。【選択図】図４
2017089799.tif 000002
【特許請求の範囲】
【請求項１】
内挿部材と、
前記内挿部材に外挿される外挿部材であって、前記内挿部材と前記外挿部材との軸方向の相対位置を変更可能な外挿部材と、
前記外挿部材における前記内挿部材と対向する内周面又は前記内挿部材における前記外挿部材と対向する外周面に設けられる環状のシール保持環状凹部と、
前記シール保持環状凹部に配置され、前記外挿部材の前記内周面と前記内挿部材の前記外周面との間の液密のための環状液密シール部材と、
前記シール保持環状凹部の近傍に設けられ、グリスを収容し、保持するための環状のグリス保持用環状溝と、を備える挿通構造体。
【請求項２】
前記グリス保持用環状溝は、前記シール保持環状凹部に対して、前記内挿部材及び前記外挿部材の軸方向の両側にそれぞれ設けられる、
請求項１に記載の挿通構造体。
【請求項３】
前記内挿部材及び前記外挿部材の外側が液体で加圧環境下において使用される、
請求項１又は２に記載の挿通構造体。
【請求項４】
前記グリスは撥水性である、
請求項１〜３のいずれかに記載の挿通構造体。
【請求項５】
前記挿通構造体は、
内部に流入した被処理水としてのバラスト水を濾過して濾過処理水として外部へ流出させる筒状のフィルタと、
前記フィルタを収納するケーシングと、
前記フィルタの内部に向けて被処理水が流通する被処理水導入ラインと、
前記フィルタで濾過された濾過処理水が、濾過処理水を貯留するバラストタンクへ向けて流通する処理水ラインと、
前記フィルタの内部に設けられるフィルタ洗浄ヘッドであって、前記フィルタの内面に摺動可能に当接して逆洗水を吸引するフィルタ洗浄ヘッドと、を備えるバラスト水処理装置を構成する構成要素である、
請求項１〜４のいずれかに記載の挿通構造体。
【請求項６】
前記内挿部材は、前記フィルタの内部に配置された逆洗汚水ラインに接続するヘッド基管であり、
前記外挿部材は、前記ヘッド基管の先端側に設けられ、前記フィルタの内面に当接する吸引ノズルである、
請求項５に記載の挿通構造体。
【請求項７】
前記内挿部材は、前記フィルタの底部から下方に向けて突出する下部回転軸部材であり、
前記外挿部材は、前記ケーシングの底部である、
請求項５に記載の挿通構造体。
【請求項８】
前記内挿部材は、前記フィルタの天部から上方に向けて突出する上部回転軸部材であり、
前記外挿部材は、前記ケーシングの天部である、
請求項５に記載の挿通構造体。
【発明の詳細な説明】
【技術分野】
【０００１】
本発明は、内挿部材と、内挿部材に外挿される外挿部材と、外挿部材の内周面と内挿部材の外周面との間の液密のための環状液密シール部材とを備える挿通構造体に関する。
【背景技術】
【０００２】
船舶に貯留されるバラスト水や、その他汚染物質を含んだ汚染水などの被処理水を濾過するものとして、内部に流入した被処理水を濾過して外部へ流出させる円筒状のフィルタを備えた濾過器がある。この濾過器で使用されるフィルタは、例えば、多数の穴を設けた金属薄板を円筒形に形成した支持体の内周面に、金網などの濾過体を円筒状に設けて構成される。
【０００３】
このように構成されるフィルタは、一方の開口部が被処理水入口となり、他方の開口部は閉鎖され、被処理水入口からフィルタの内側に流入した被処理水を内周面側の濾過体に通過させ、被処理水中の異物を捕捉する。そのため、フィルタの内面に異物が堆積し、異物の堆積量が多くなるに連れてフィルタの閉塞が進み、そのままにしておくと圧力損失が大きくなり、濾過流量が十分に得られなくなる。このような事態を防止するため、フィルタを洗浄して内面に堆積している異物を除去し、フィルタの濾過能力を維持する必要がある。
【０００４】
フィルタを洗浄する方法として、フィルタの二次側から濾過方向とは逆方向に処理水を流す逆洗浄が知られている。この逆洗浄によって異物が混在した水は、フィルタ内に設けられるフィルタ洗浄ヘッドであって、フィルタの内面に摺動可能に当接し、フィルタの内面を摺動するフィルタ洗浄ヘッドによって、吸引されて排出される（例えば、特許文献１参照。）。
【０００５】
特許文献１に例示されるこの種のフィルタ洗浄ヘッドは、運転中、フィルタの内面に常に接触状態を維持させるために、フィルタ内に配置された逆洗汚水排出管に接続されるヘッド基管の先端側に、フィルタの内面に当接する吸引ノズルが軸方向に摺動自在に嵌合していると共に、付勢部材であるコイルバネにより、吸引ノズルがフィルタの内面方向に付勢される構造となっている。このような構造において、ヘッド基管と吸引ノズルとの隙間からヘッド基管内へ被処理水が侵入することを防止するため、吸引ノズルの内面にシールリング装着溝が形成され、シールリング装着溝に装着したシールリング（シール部材）により、ヘッド基管と吸引ノズルとの間をシールしている。
【先行技術文献】
【特許文献】
【０００６】
【特許文献１】特表２００８−５０７３９１号公報
【発明の概要】
【発明が解決しようとする課題】
【０００７】
しかし、特許文献１に例示されるこの種のフィルタ洗浄ヘッドにおいて、被処理水中に存在する異物が、シール部材と、ヘッド基管及び吸引ノズルとの間に入り込んだ状態で、吸引ノズルが軸方向に摺動すると、ヘッド基管やシール部材が異物で摩耗し（異物が研磨剤のように作用し）、傷付けられて、シール機能が低下して、シール漏れが発生する虞がある。また、付着した異物によりシール部材に抵抗を発生させ、吸引ノズルの円滑な動きが得られなくなり、吸引ノズルとフィルタの内面との良好な接触状態を維持させることができなくなる虞がある。更には、シール部材が破損して、早期の交換が必要になる虞がある。
【０００８】
本発明は、互いの相対位置を変更可能な内挿部材と外挿部材とを液密にするシール部材に異物が付着することで生じる不具合の発生を抑制できる挿通構造体を提供することを目的とする。
【課題を解決するための手段】
【０００９】
本発明は、内挿部材と、前記内挿部材に外挿される外挿部材であって、前記内挿部材と前記外挿部材との軸方向の相対位置を変更可能な外挿部材と、前記外挿部材における前記内挿部材と対向する内周面又は前記内挿部材における前記外挿部材と対向する外周面に設けられる環状のシール保持環状凹部と、前記シール保持環状凹部に配置され、前記外挿部材の前記内周面と前記内挿部材の前記外周面との間の液密のための環状液密シール部材と、前記シール保持環状凹部の近傍に設けられ、グリスを収容し、保持するための環状のグリス保持用環状溝と、を備える挿通構造体に関する。
【００１０】
また、前記グリス保持用環状溝は、前記シール保持環状凹部に対して、前記内挿部材及び前記外挿部材の軸方向の両側にそれぞれ設けられることが好ましい。
【００１１】
また、前記グリス保持用環状溝は、前記シール保持環状凹部に対して、前記内挿部材及び前記外挿部材の軸方向の両側にそれぞれ設けられることが好ましい。
【００１２】
また、前記内挿部材及び前記外挿部材の外側が液体で加圧環境下において使用されることが好ましい。
【００１３】
また、前記挿通構造体は、内部に流入した被処理水としてのバラスト水を濾過して濾過処理水として外部へ流出させる筒状のフィルタと、前記フィルタを収納するケーシングと、前記フィルタの内部に向けて被処理水が流通する被処理水導入ラインと、前記フィルタで濾過された濾過処理水が、濾過処理水を貯留するバラストタンクへ向けて流通する処理水ラインと、前記フィルタの内部に設けられるフィルタ洗浄ヘッドであって、前記フィルタの内面に摺動可能に当接して逆洗水を吸引するフィルタ洗浄ヘッドと、を備えるバラスト水処理装置を構成する構成要素であることが好ましい。
【００１４】
また、前記内挿部材は、前記フィルタの内部に配置された逆洗汚水ラインに接続するヘッド基管であり、前記外挿部材は、前記ヘッド基管の先端側に設けられ、前記フィルタの内面に当接する吸引ノズルであることが好ましい。
【００１５】
また、前記内挿部材は、前記フィルタの底部から下方に向けて突出する下部回転軸部材であり、前記外挿部材は、前記ケーシングの底部であることが好ましい。
【００１６】
また、前記内挿部材は、前記フィルタの天部から上方に向けて突出する上部回転軸部材であり、前記外挿部材は、前記ケーシングの天部であることが好ましい。
【発明の効果】
【００１７】
本発明によれば、互いの相対位置を変更可能な内挿部材と外挿部材とを液密にするシール部材に異物が付着することで生じる不具合の発生を抑制できる挿通構造を提供することができる。
【図面の簡単な説明】
【００１８】
【図１】本発明における第１実施形態の挿通構造体１０１を含むフィルタ洗浄ヘッド５３を備えるバラスト水処理装置１を示すフロー図である。
【図２】本発明の第１実施形態の挿通構造体１０１を含むフィルタ洗浄ヘッド５３を示す斜視図である。
【図３】図２に示すＡ−Ａ線断面図である。
【図４】挿通構造体１０１を説明する部分拡大図である。
【図５】第１実施形態の第１変形例におけるシール部材７５Ａの周辺の部分拡大図である。
【図６】第１実施形態の第２変形例におけるシール部材７５Ｂの周辺の部分拡大図である。
【図７】本発明の第２実施形態の挿通構造体１０２を説明する部分拡大図である。
【図８】本発明の第３実施形態の挿通構造体１０３を説明する部分拡大図である。
【発明を実施するための形態】
【００１９】
本発明における第１実施形態の挿通構造体１０１を含むフィルタ洗浄ヘッド５３を備えるバラスト水処理装置１について、図面を参照しながら説明する。図１は、本発明における第１実施形態の挿通構造体１０１を含むフィルタ洗浄ヘッド５３を備えるバラスト水処理装置１を示すフロー図である。
【００２０】
〔第１実施形態〕
図１に示すように、バラスト水処理装置１は、バラスト水濾過装置２と、紫外線リアクタ６１と、逆洗水供給手段７と、制御部９と、を備える。制御部９は、制御対象の各機器を制御可能に、各機器に信号線（不図示）により接続されている。バラスト水処理装置１には、その外部構成として、バラストタンク６２が接続されている。
【００２１】
バラスト水処理装置１は、ラインとして、被処理水導入ラインＬ１と、被処理水排出ラインＬ２と、処理水ラインＬ１１と、貯留処理水排出ラインＬ１２と、逆洗水流通ラインＬ２１と、エア抜きラインＬ３１と、を備える。「ライン」とは、流路、経路、管路等の流体の流通が可能なラインの総称である。
【００２２】
バラスト水濾過装置２は、ケーシング５１と、フィルタ５２と、フィルタ回転手段３と、吸引ノズル４を有するフィルタ洗浄ヘッド５３と、逆洗水噴射ノズル６と、逆洗汚水排出手段５と、を備える。
【００２３】
ケーシング５１は、円筒状であり、その内部にフィルタ５２を収納する。フィルタ５２は、全体視で円筒状であり、内部に流入した被処理水（バラスト水）Ｗ１（主に海水）を濾過してバラスト水（濾過処理水）Ｗ２として外部へ流出させる。フィルタ回転手段３は、フィルタ５２を、その軸心を中心に回転させる。フィルタ洗浄ヘッド５３は、フィルタ５２の内部に設けられる。フィルタ洗浄ヘッド５３の吸引ノズル４は、フィルタ５２の一次側に設けられ、フィルタ５２の内周面（内面）に向かって開口する。フィルタ洗浄ヘッド５３の詳細については後述する。
【００２４】
逆洗水噴射ノズル６は、フィルタ５２の二次側に設けられ、フィルタ５２の外周面に向かって、バラスト水処理運転中に逆洗水を噴射する。逆洗水噴射ノズル６からの逆洗水の噴射は、ケーシング５１及びフィルタ５２の内部にバラスト水（Ｗ２，Ｗ１）が存在する（満たされる）状態で行われる。
【００２５】
逆洗汚水排出手段５は、フィルタ洗浄ヘッド５３の吸引ノズル４で吸引された逆洗汚水Ｗ１１を、ケーシング５１の内部から外部へ排出する。制御部９は、フィルタ５２の一次側と二次側との差圧などに基づいて、逆洗水の噴射の有無、逆洗水の噴射時の噴射圧力などを制御する。バラスト水濾過装置２の詳細については後述する。
【００２６】
紫外線リアクタ６１は、バラスト水濾過装置２のフィルタ５２により濾過されたバラスト水（濾過処理水）Ｗ２に対して紫外線を照射して殺菌を行う。
バラストタンク６２は、紫外線リアクタ６１により紫外線の照射が行われたバラスト水（濾過処理水）Ｗ２を、貯留処理水Ｗ３として貯留する。
また、紫外線リアクタ６１は、バラストタンク６２に貯留されるバラスト水（貯留処理水）Ｗ３を船外へ排出する際に、貯留処理水Ｗ３に対して紫外線を照射して殺菌を行う。
【００２７】
次に、各ラインについて詳述する。被処理水導入ラインＬ１は、一端部から被処理水Ｗ１（主に海水）が導入され、他端部において被処理水導入口２０に接続しており、被処理水Ｗ１がバラスト水濾過装置２の被処理水導入口２０に向けて流通するラインである。被処理水導入ラインＬ１には、汲み上げポンプＰ１、バルブＶ１、接続部Ｊ１、被処理水導入口２０がこの順で設けられている。
被処理水排出ラインＬ２は、一端部において被処理水導入ラインＬ１の接続部Ｊ１に接続しており、他端部からフィルタ５２内の水（バラスト水Ｗ１）が排出されるラインである。
【００２８】
処理水ラインＬ１１は、一端部においてバラスト水濾過装置２の処理水流出口２６に接続しており、他端部においてバラストタンク６２に接続しており、バラスト水濾過装置２で濾過処理されたバラスト水（濾過処理水）Ｗ２がバラストタンク６２に向けて流通するラインである。処理水ラインＬ１１には、処理水流出口２６、接続部Ｊ２１、バルブＶ１１、接続部Ｊ１１、紫外線リアクタ６１、バルブＶ１２、バラストタンク６２がこの順で設けられている。
【００２９】
貯留処理水排出ラインＬ１２は、一端部において処理水ラインＬ１１の接続部Ｊ１１に接続しており、他端部からバラスト水（貯留処理水）Ｗ３を排出するラインである。貯留処理水排出ラインＬ１２には、接続部Ｊ１１、バルブＶ１３、貯留処理水排出ポンプＰ１１がこの順で設けられている。
【００３０】
逆洗水流通ラインＬ２１は、一端部において処理水ラインＬ１１の接続部Ｊ２１に接続しており、他端部において逆洗水噴射ノズル６に接続しているラインである。逆洗水流通ラインＬ２１には、バラスト水（濾過処理水）Ｗ２が逆洗水噴射ノズル６に向けて流通する。逆洗水流通ラインＬ２１には、接続部Ｊ２１、バルブＶ２１、逆洗水加圧ポンプＰ２１、逆洗水噴射ノズル６がこの順で設けられている。
【００３１】
ラインの各所には、各種のバルブ及びポンプが設けられている。具体的には、被処理水導入ラインＬ１における接続部Ｊ１よりも上流側には、汲み上げポンプＰ１が設けられている。汲み上げポンプＰ１は、被処理水導入ラインＬ１の一端部から被処理水Ｗ１（主に海水）を汲み上げる。被処理水導入ラインＬ１における汲み上げポンプＰ１と接続部Ｊ１との間には、バルブＶ１が設けられている。被処理水排出ラインＬ２には、バルブＶ２が設けられている。
【００３２】
処理水ラインＬ１１における処理水流出口２６と紫外線リアクタ６１との間（詳細には、接続部Ｊ２１と接続部Ｊ１１との間）には、バルブＶ１１が設けられている。処理水ラインＬ１１における紫外線リアクタ６１とバラストタンク６２との間には、バルブＶ１２が設けられている。貯留処理水排出ラインＬ１２には、バルブＶ１３及び貯留処理水排出ポンプＰ１１が設けられている。
【００３３】
逆洗水流通ラインＬ２１における接続部Ｊ２１と逆洗水加圧ポンプＰ２１との間には、バルブＶ２１が設けられている。逆洗水流通ラインＬ２１におけるバルブＶ２１と逆洗水噴射ノズル６との間には、逆洗水加圧ポンプＰ２１が設けられている。逆洗水加圧ポンプＰ２１は、逆洗水流通ラインＬ２１を流通する水を加圧する。
【００３４】
次に、バラスト水濾過装置２の詳細について説明する。ケーシング５１は、上部開口部及び下部開口部を有する円筒状に形成されており、上部開口部が蓋部１０で密閉され、下部開口部が底部１１で密閉されている。蓋部１０には、エア抜きラインＬ３１が接続されている。エア抜きラインＬ３１には、ケーシング５１の内部のエアを抜くためのエア抜きバルブＶ３１が設けられている。
【００３５】
フィルタ５２は、上部開口部及び下部開口部を有し、全体視で円筒状に形成されている。フィルタ５２の詳細については後述する。ケーシング５１とフィルタ５２との間には、処理水流出空間２７が形成される。上部開口部は、上閉止部１３で密閉されている。下部開口部は、下閉止部１４及び後述する下部回転軸部材１６とで密閉されている。
【００３６】
フィルタ回転手段３は、上部回転軸部材１５と、下部回転軸部材１６と、上部回転軸部材１５を回転させるモータ１７とで構成されている。上部回転軸部材１５は、フィルタ５２の上閉止部１３に、フィルタ５２の軸心位置に軸心方向上向きに突設して設けられている。下部回転軸部材１６は、フィルタ５２の下閉止部１４に、フィルタ５２の軸心位置に軸心方向下向きに突設して設けられている。
【００３７】
上部回転軸部材１５は、ケーシング５１の蓋部１０を貫通し且つシーリングされた軸受部材１８を介して、蓋部１０に回転自在に且つ液密に支持されている。下部回転軸部材１６は、ケーシング５１の底部１１を貫通し且つシーリングされた軸受部材１９を介して、底部１１に回転自在に且つ液密に支持されている。下部回転軸部材１６は、フィルタ５２の内部と連通する管状体となっており、ケーシング５１の底部１１からケーシング５１の外部に突出する。下部回転軸部材１６には、ケーシング５１への被処理水導入口２０が接続されている。
【００３８】
被処理水導入口２０には、被処理水導入ラインＬ１が接続されている。ケーシング５１の側部には、処理水流出口２６が設けられている。処理水流出口２６には、処理水ラインＬ１１が接続されている。
被処理水導入ラインＬ１を流通し且つ被処理水導入口２０から導入された被処理水Ｗ１は、下部回転軸部材１６を通ってフィルタ５２の内部に入る。その被処理水Ｗ１は、フィルタ５２を通過して濾過されて、ケーシング５１とフィルタ５２との間に形成される処理水流出空間２７に入り、処理水流出口２６から流出する。
【００３９】
逆洗汚水排出手段５は、逆洗汚水ラインとしての逆洗汚水集合管２８と、逆洗汚水ラインとしての逆洗汚水排出管２９と、バルブＶ３２とを備える。逆洗汚水集合管２８は、フィルタ洗浄ヘッド５３に接続する。逆洗汚水集合管２８には、フィルタ洗浄ヘッド５３の吸引ノズル４で吸引された逆洗汚水Ｗ１１が集合する。逆洗汚水排出管２９は、逆洗汚水集合管２８の下端部に接続し、逆洗汚水Ｗ１１を外部へ排出する。バルブＶ３２は、逆洗汚水排出管２９に設けられている。
【００４０】
逆洗汚水集合管２８においては、上端部が閉鎖し、下端部が開口している。逆洗汚水集合管２８は、フィルタ５２の軸心に配置されている。逆洗汚水集合管２８の上端部は、フィルタ５２の上閉止部１３の中央に設けられた孔に、嵌合して支持されている。逆洗汚水集合管２８の下端部は、フィルタ５２の下閉止部１４の下部回転軸部材１６の内部を、フィルタ５２の回転を妨げないように通り、ケーシング５１の被処理水導入口２０に固定されて支持されている。
【００４１】
逆洗水噴射ノズル６について説明する。逆洗水噴射ノズル６は、ケーシング５１の側部に設けられており、ケーシング５１の内部に開口している。逆洗水噴射ノズル６は、フィルタ５２の軸方向全域に逆洗水を噴射できることが好ましい。逆洗水噴射ノズル６の構成は特に限定されるものではない。例えば、逆洗水噴射ノズル６を、フィルタ５２の軸方向に直線状及び／又は周方向に角度を変えて複数配置することができる。周方向に角度を変えて複数配置される逆洗水噴射ノズル６は、同じ高さに配置してもよく、或いは高さを変えて配置してもよい。本実施形態においては、逆洗水噴射ノズル６は、複数配置された各吸引ノズル４と同周上に位置し、且つ、フィルタ５２の回転方向に対向する方向に向かって、吸引ノズル４の前に位置するように設けられている。なお、逆洗水噴射ノズル６は、各吸引ノズル４と対向するそれぞれの位置に設けられていてもよく、或いは、フィルタ５２の回転方向に対向する方向に向かって、吸引ノズル４の後に位置するように設けられていてもよい。
【００４２】
逆洗水供給手段７は、フィルタ５２で濾過処理された濾過処理水Ｗ２を加圧して、逆洗水Ｗ２として逆洗水噴射ノズル６に供給する。逆洗水供給手段７は、逆洗水加圧ポンプＰ２１、バルブＶ２１などから構成される。
【００４３】
逆洗水噴射ノズル６は、フィルタ５２の外周面（二次側）に逆洗水Ｗ２を噴射して、フィルタ５２の一次側に堆積した異物を剥離する。剥離した直後に吸引ノズル４による吸引が行われる。逆洗水噴射ノズル６から噴射された逆洗水Ｗ２によりフィルタ５２から剥離した異物は、逆洗汚水排出管２９に設けられたバルブＶ３２を開くことにより、吸引ノズル４により効果的に吸引される。バルブＶ３２の二次側の圧力は大気圧に開放されているため、逆洗汚水集合管２８の内部の圧力がフィルタ５２の二次側の圧力よりも低くなり、フィルタ５２の二次側にある濾過処理水Ｗ２の一部及び逆洗水噴射ノズル６から噴射した逆洗水Ｗ２は、逆洗汚水Ｗ１１となって逆洗汚水集合管２８の内部を流通し、逆洗汚水排出管２９から外部へ排出される。
【００４４】
逆洗水噴射ノズル６に供給される逆洗水としては、本実施形態においては、フィルタ５２で濾過処理された濾過処理水Ｗ２が用いられる。
【００４５】
フィルタ洗浄ヘッド５３について説明する。図２は、本発明の第１実施形態の挿通構造体１０１を含むフィルタ洗浄ヘッド５３を示す斜視図である。図３は、図２に示すＡ−Ａ線断面図である。図４は、挿通構造体１０１を説明する部分拡大図である。
図２〜図４に示すように、フィルタ洗浄ヘッド５３は、フィルタ５２の内周面に摺動可能に当接して、フィルタ５２の濾過面に付着したＳＳ（浮遊性固形物質）を剥がしながら、逆洗水Ｗ２を吸引する。フィルタ洗浄ヘッド５３は、ヘッド基管５４と、内周面４ｊにシール保持環状凹部４ｄを有する吸引ノズル４と、内側円盤状部材７１と、外側円盤状部材７２と、支持バー部材７３と、コイルバネ７４と、シール部材７５と、吸引ノズル４の内周面４ｊにおけるシール保持環状凹部４ｄの近傍に設けられるグリス保持用環状溝８１〜８４と、を備える。
【００４６】
本実施形態のフィルタ洗浄ヘッド５３は、挿通構造体１０１を有する。挿通構造体１０１は、ヘッド基管５４（内挿部材）と、ヘッド基管５４に外挿される吸引ノズル４（外挿部材）と、吸引ノズル４におけるヘッド基管５４と対向する内周面４ｊに形成されるシール保持環状凹部４ｄと、シール部材７５（環状液密シール部材）と、グリス保持用環状溝８１〜８４と、を備える。
【００４７】
シール部材７５は、シール保持環状凹部４ｄに配置され、吸引ノズル４の内周面４ｊとヘッド基管５４の外周面５４ｄとの間の液密のための環状液密シール部材である。グリス保持用環状溝８１〜８４は、シール保持環状凹部４ｄの近傍に設けられ、グリスを収容し保持するための環状溝である。挿通構造体１０１は、ヘッド基管５４と吸引ノズル４との軸方向Ｄ１の相対位置を変更可能（スライド移動可能）に構成される。以下、挿通構造体１０１を含むフィルタ洗浄ヘッド５３について詳述する。
【００４８】
ヘッド基管５４は、フィルタ５２の内部に配置された逆洗汚水集合管２８（逆洗汚染ライン）に連通状態で接続されている。ヘッド基管５４は、基端側太径部５４ａと先端側細径部５４ｂと段差部５４ｃとを備える。基端側太径部５４ａは、ヘッド基管５４における基端側の部分であり、先端側細径部５４ｂよりも太径の部分である。先端側細径部５４ｂは、ヘッド基管５４における先端側の部分であり、基端側太径部５４ａよりも細径の部分である。段差部５４ｃは、基端側太径部５４ａと先端側細径部５４ｂとの外径の差により形成される。
【００４９】
吸引ノズル４は、フィルタ５２の一次側に設けられ、ヘッド基管５４を介して逆洗汚水集合管２８に接続し、フィルタ５２の内周面に向かって開口する。吸引ノズル４は、ヘッド基管５４の先端側に設けられ、フィルタ５２の内面に当接する。吸引ノズル４は、逆洗水噴射ノズル６から噴射され且つフィルタ５２を外周面から内周面に向けて通過した逆洗水Ｗ２である逆洗汚水Ｗ１１を吸引する。吸引ノズル４は、フィルタ５２の軸方向全域から吸引可能であることが好ましい。なお、吸引ノズル４の構成は特に限定されるものではない。例えば、吸引ノズル４を、フィルタ５２の軸方向に直線状及び／又は周方向に角度を変えて複数配置することができる。周方向に角度を変えて複数配置される吸引ノズル４は、同じ高さに配置してもよく、或いは高さを変えて配置してもよい。
【００５０】
本実施形態においては、複数の吸引ノズル４は、フィルタ５２の軸方向（上下方向）に直線状に配置されて、逆洗汚水集合管２８と接続している。また、フィルタ５２の内周面に対向した位置でフィルタ５２に向かって開口している吸引ノズル４の開口部は、フィルタ５２の内周面に摺動可能に密着している。
【００５１】
上下方向に配置されている複数の吸引ノズル４の間の未吸引部を無くすため、フィルタ５２の軸方向に２列に配置され、一方の列の吸引ノズル４の間に他方の列の吸引ノズル４が位置している。具体的には、複数の吸引ノズル４は、逆洗汚水集合管２８の左右側に、高さ方向に交互に配置されている。なお、吸引ノズル４をフィルタ５２の軸方向に配置する他の例として、複数の吸引ノズル４をフィルタ５２の軸方向に、吸引ノズル４の間に未吸引部が存在しない間隔で螺旋状に配置してもよい。
【００５２】
吸引ノズル４の開口部がフィルタ５２の内周面に摺動可能に密着した状態で、複数の吸引ノズル４は、フィルタ５２の軸方向に直線状に配置されて逆洗汚水集合管２８に接続している。上下方向に配置されている複数の吸引ノズル４は、各吸引ノズル４の間の未吸引部を無くすため、逆洗汚水集合管２８の左右側に、高さ方向に交互に配置されている。そのため、フィルタ５２の１回の回転でフィルタ５２の内周面全域からの吸引を行うことができる。
【００５３】
詳述すると、吸引ノズル４は、ヘッド基管５４の先端側に設けられ、フィルタ５２の内周面に摺動可能に当接する。吸引ノズル４は、ヘッド基管５４の先端側の外周面に、軸方向（延在方向）に移動自在に嵌合している。吸引ノズル４は、ノズル吸引口４ａと、ノズル外挿部４ｂと、第１バネ保持環状凹部４ｃと、シール保持環状凹部４ｄと、中間細径部４ｅと、軸方向内側壁４ｆと、軸方向外側壁４ｇと、を備える。
【００５４】
ノズル吸引口４ａは、吸引ノズル４の先端側に開口し、逆洗水Ｗ２を吸引する部分である。ノズル外挿部４ｂは、吸引ノズル４における基端側の部分であり、ヘッド基管５４の先端側細径部５４ｂに外挿されている。ヘッド基管５４の先端側細径部５４ｂの外周面５４ｄは、ノズル外挿部４ｂの内周面４ｊよりもわずかに細い。
第１バネ保持環状凹部４ｃは、ノズル外挿部４ｂにおける基端側の壁部に、ヘッド基管５４の先端側細径部５４ｂを包囲するように且つヘッド基管５４の基端側に開放するように、環状に設けられている。第１バネ保持環状凹部４ｃには、コイルバネ７４の螺旋状の端部が保持される。
なお、第１バネ保持環状凹部４ｃに代えて、吸引ノズル４の基端側に段差部を設け、この段差部にコイルバネ７４の端部を嵌合させる構成とすることもできる。
【００５５】
シール保持環状凹部４ｄは、吸引ノズル４（ノズル外挿部４ｂ）における、ヘッド基管５４（先端側細径部５４ｂ）の外周面５４ｄと対向する内周面４ｊに形成される。シール保持環状凹部４ｄは、ノズル外挿部４ｂにおける内周面４ｊに、ヘッド基管５４の先端側細径部５４ｂを包囲するように且つヘッド基管５４側に開放するように、環状に設けられている。シール保持環状凹部４ｄは、第１バネ保持環状凹部４ｃよりも径方向の内側に配置されている。シール保持環状凹部４ｄには、環状のシール部材７５が収容される。
【００５６】
シール部材７５は、シール保持環状凹部４ｄに配置され、吸引ノズル４の内周面４ｊとヘッド基管５４の外周面５４ｄとの間を液密にする。シール部材７５は、環状のゴム等の弾性材料あるいは摺動性の良い高分子材料からなる部材である。シール部材７５は、本実施形態においては、断面がＯ状のＯリングである。シール部材７５は、シール保持環状凹部４ｄの内側に圧入されている。シール部材７５は、吸引ノズル４と一体となって、ヘッド基管５４の外周面５４ｄをフィルタ洗浄ヘッド５３の軸方向Ｄ１に移動するようになっている。
【００５７】
グリス保持用環状溝８１〜８４は、本実施形態においては、吸引ノズル４におけるヘッド基管５４と対向する内周面４ｊに形成される。グリス保持用環状溝８１〜８４それぞれは、ノズル外挿部４ｂにおける内周面４ｊに、ヘッド基管５４の先端側細径部５４ｂを包囲するように且つヘッド基管５４側に開放するように、環状に設けられている。本実施形態において、グリス保持用環状溝８１〜８４それぞれは、断面が矩形の環状凹部である。グリス保持用環状溝８１〜８４それぞれは、グリスＧ１を収容し、保持する。吸引ノズル４のスライド移動距離が小さい場合、グリス保持用環状溝８１〜８４それぞれに保持されるグリスＧ１が外部に流出する量は、少ない。
【００５８】
グリス保持用環状溝８３，８４に保持されるグリスＧ１は、吸引ノズル４の外側に向けて、吸引ノズル４の内周面４ｊとヘッド基管５４の外周面５４ｄとの間を移動しようとする。一方、吸引ノズル４の外側にある加圧状態の被処理水Ｗ１は、吸引ノズル４の内側に向けて、吸引ノズル４の内周面４ｊとヘッド基管５４の外周面５４ｄとの間を移動しようとする。そのため、グリス保持用環状溝８３，８４に保持されるグリスＧ１（特に撥水性の場合）は、吸引ノズル４の外側に流出しにくい。
【００５９】
グリス保持用環状溝８１〜８４は、ヘッド基管５４及び吸引ノズル４の軸方向Ｄ１（フィルタ洗浄ヘッド５３の軸方向Ｄ１）において、シール保持環状凹部４ｄと並んで配置される。グリス保持用環状溝８１〜８４は、シール保持環状凹部４ｄに対して、ヘッド基管５４及び吸引ノズル４の軸方向Ｄ１における両側に、それぞれ設けられる。具体的には、グリス保持用環状溝８１，８２は、軸方向Ｄ１における先端側Ｄ１２（フィルタ５２側）に設けられる。グリス保持用環状溝８３，８４は、軸方向Ｄ１における基端側Ｄ１１に設けられる。
【００６０】
グリス保持用環状溝８１，８２が軸方向Ｄ１における先端側Ｄ１２（フィルタ５２側）に設けられることで、シール部材７５とグリス保持用環状溝８１，８２との間に、グリスＧ１（その一部はグリス保持用環状溝８１，８２から流出したグリスＧ１）は、面状に保持される。これにより、シール性は更に向上する。また、シール部材７５等におけるスライド性も向上する。
【００６１】
グリス保持用環状溝８３，８４が軸方向Ｄ１における基端側Ｄ１１に設けられることで、シール部材７５等におけるスライド性が向上する。
【００６２】
グリス保持用環状溝８１〜８４は、軸方向Ｄ１においてシール部材７５の両側に設けられるので、シール部材７５に異物が付着することを抑制すると共に、シール部材７５等におけるスライド性が向上する。
【００６３】
また、グリス保持用環状溝８１〜８４は、軸方向Ｄ１にスライド移動されるので、グリス保持用環状溝８１〜８４に収容されたグリスＧ１の一部は、吸引ノズル４（ノズル外挿部４ｂ）の内周面４ｊとヘッド基管５４（先端側細径部５４ｂ）の外周面５４ｄとの間を、面状にシールする。これにより、シール部材７５に異物が付着することを抑制すると共に、シール部材７５等におけるスライド性が向上する。
また、ヘッド基管５４と吸引ノズル４との軸方向Ｄ１への相対移動（スライド移動）により、グリス保持用環状溝８１〜８４に収容されたグリスＧ１は、ヘッド基管５４の外周面５４ｄに塗布される。これにより、シール部材７５における摩擦による破損を抑制できる。
【００６４】
グリス保持用環状溝８１〜８４は、シール保持環状凹部４ｄの近傍に設けられる。「近傍」とは、例えば、シール部材７５におけるヘッド基管５４の外周面５４ｄとの接触部と、この接触部と最も近いグリス保持用環状溝との距離Ｔ（図４参照）が、１０ｍｍ以内であること、好ましくは５ｍｍ以内であることをいう。
【００６５】
グリス保持用環状溝８１〜８４それぞれには、上述の通り、グリスＧ１が収容され、保持される。本実施形態において、グリスＧ１は撥水性を有する。本実施形態において、挿通構造体１０１を含むフィルタ洗浄ヘッド５３は、ヘッド基管５４及び吸引ノズル４の外側が被処理水（液体）で加圧環境下において使用される。そのため、上述の通り、グリス保持用環状溝８１〜８４から流出したグリスＧ１は、吸引ノズル４の外側には流出し難いので、シール部材７５の側に流れる。これにより、グリス保持用環状溝８１，８２とシール部材７５との間にグリスＧ１が保持されることになり、ヘッド基管５４、吸引ノズル４及びシール部材７５におけるシール性が更に向上し、スライド性が向上する。
【００６６】
中間細径部４ｅは、ノズル外挿部４ｂの外周部に設けられている。中間細径部４ｅは、その軸方向の外側よりも細径となっていることで、形成される。中間細径部４ｅにおける、吸引ノズル４の基端側及び先端側には、それぞれ段差状に、軸方向内側壁４ｆ及び軸方向外側壁４ｇが形成される。
【００６７】
内側円盤状部材７１は、ヘッド基管５４の先端側細径部５４ｂに、段差部５４ｃに当接した状態で外挿されて固定されている。内側円盤状部材７１は、内周面７１ａと、外周面７１ｂと、軸方向内側壁７１ｃと、軸方向外側壁７１ｄと、第２バネ保持環状凹部７１ｅとを備える。
内周面７１ａは、内側円盤状部材７１の径方向中心に設けられる貫通孔からなる。内周面７１ａは、ヘッド基管５４の先端側細径部５４ｂに外挿される。外周面７１ｂは、内側円盤状部材７１の径方向の外周面である。軸方向内側壁７１ｃは、ヘッド基管５４の基端側を向く壁である。軸方向内側壁７１ｃは、ヘッド基管５４の段差部５４ｃに当接し、これにより、ヘッド基管５４の基端側への内側円盤状部材７１の移動が規制される。
【００６８】
軸方向外側壁７１ｄは、ヘッド基管５４の先端側を向く壁である。第２バネ保持環状凹部７１ｅは、軸方向外側壁７１ｄに、ヘッド基管５４の先端側細径部５４ｂを包囲するように且つヘッド基管５４の先端側に開放するように、環状に設けられている。第２バネ保持環状凹部７１ｅには、コイルバネ７４の螺旋状の端部が保持される。第１バネ保持環状凹部４ｃと第２バネ保持環状凹部７１ｅとは、フィルタ洗浄ヘッド５３の軸方向に対向しており、コイルバネ７４とヘッド基管５４の外周面５４ｄとの接触（ヘッド基管５４の径方向の接触）を防止可能な接触防止構造を構成する。
【００６９】
外側円盤状部材７２は、吸引ノズル４の中間細径部４ｅに、径方向に十分な隙間を有して外挿されている。外側円盤状部材７２は、内周面７２ａと、外周面７２ｂと、を備える。内周面７２ａは、外側円盤状部材７２の径方向中心に設けられる貫通孔からなる。内周面７２ａは、吸引ノズル４の中間細径部４ｅに外挿される。内周面７２ａは、吸引ノズル４の中間細径部４ｅよりも十分に（径方向に接触しない程度に）太径となっている。そのため、吸引ノズル４は、軸方向内側壁４ｆと軸方向外側壁４ｇとの間において実質的に摺動抵抗を発生させずに、外側円盤状部材７２の厚さ方向に移動自在になっている。
なお、吸引ノズル４がヘッド基管５４から抜け落ちないように、外側円盤状部材７２には適宜のストッパ（不図示）が設けられている。
【００７０】
支持バー部材７３は、内側円盤状部材７１と外側円盤状部材７２との間隔（フィルタ洗浄ヘッド５３の軸方向の間隔）を維持するために、設けられる。支持バー部材７３の一端部は、内側円盤状部材７１に固定されている。支持バー部材７３の他端部は、外側円盤状部材７２に固定されている。支持バー部材７３は、内側円盤状部材７１及び外側円盤状部材７２の周方向に等しい中心角（９０度）で４本配列している。なお、支持バー部材７３の本数や中心角の大きさは、特に制限されない。
【００７１】
コイルバネ７４は、ヘッド基管５４の先端側細径部５４ｂに、径方向に十分な間隙を有して包囲するように外挿されている。コイルバネ７４は、一端部側において、内側円盤状部材７１の第２バネ保持環状凹部７１ｅに保持されており、他端部側において、吸引ノズル４の第１バネ保持環状凹部４ｃに保持されている。コイルバネ７４は、吸引ノズル４の軸方向内側壁４ｆが外側円盤状部材７２に当接した場合においても、軸方向外側に向けて付勢力が発現するようになっている。
これにより、吸引ノズル４がヘッド基管５４から分離しないと共に、吸引ノズル４が軸方向外側に向けて付勢されるように構成される。そのため、吸引ノズル４は、フィルタ洗浄ヘッド５３の軸方向におけるフィルタ５２の内周面に向けて、付勢されながら当接する。
【００７２】
次に、本実施形態のバラスト水処理装置１の主な動作について簡単に説明する。
（１）バラスト水濾過装置２による被処理水Ｗ１の濾過処理（バラスト水処理運転）
バルブＶ１、バルブＶ１１及びバルブＶ１２を開き、バルブＶ２、バルブＶ１３、バルブＶ２１、バルブＶ３１及びバルブＶ３２を閉じる。この状態で、汲み上げポンプＰ１を駆動させる。これにより、被処理水導入ラインＬ１の一端部から流入した被処理水Ｗ１は、被処理水導入ラインＬ１を流通する。被処理水導入口２０から導入された被処理水Ｗ１は、フィルタ５２で濾過処理され、濾過処理水Ｗ２として処理水流出口２６から排出される。濾過処理水Ｗ２は、処理水ラインＬ１１を流通し、紫外線リアクタ６１により紫外線処理され、バラストタンク６２に貯留処理水Ｗ３として貯留される。
【００７３】
（２）逆洗水噴射ノズル６によるフィルタ５２の逆洗処理（バラスト水処理運転中の逆洗）
バルブＶ１、バルブＶ１１、バルブＶ１２、バルブＶ２１及びバルブＶ３２を開き、他のバルブを閉じて、濾過処理水Ｗ２（逆洗水Ｗ２）が逆洗水噴射ノズル６に向けて流通する状態とする。そして、ケーシング５１及びフィルタ５２の内部にバラスト水（Ｗ２，Ｗ１）が存在した状態で、逆洗水加圧ポンプＰ２１及び吸引ノズル４の吸引を稼働させる。これにより、逆洗水噴射ノズル６からの逆洗水（濾過処理水）Ｗ２は、フィルタ５２に向けて噴射され、逆洗が行われる。
【００７４】
（３）バラストタンク６２から外部への貯留処理水Ｗ３の排水処理
バルブＶ１２及びバルブＶ１３を開き、バルブＶ１１を閉じる。この状態で貯留処理水排出ラインＬ１２に設けられた貯留処理水排出ポンプＰ１１を稼働させる。これにより、バラストタンク６２に貯留される貯留処理水Ｗ３は、紫外線リアクタ６１により紫外線処理され、処理水ラインＬ１１及び貯留処理水排出ラインＬ１２を介して外部に排出される。
【００７５】
第１実施形態によれば、例えば、次のような効果を奏する。
バラスト水処理装置１（フィルタ洗浄ヘッド５３）の構成要素である第１実施形態の挿通構造体１０１は、ヘッド基管５４（内挿部材）と、ヘッド基管５４に外挿される吸引ノズル４（外挿部材）と、吸引ノズル４におけるヘッド基管５４と対向する内周面４ｊに形成されるシール保持環状凹部４ｄと、シール保持環状凹部４ｄに配置され、吸引ノズル４の内周面４ｊとヘッド基管５４の外周面５４ｄとの間の液密のためのシール部材７５（環状液密シール部材）と、シール保持環状凹部４ｄの近傍に設けられ、グリスＧ１を収容し保持するためのグリス保持用環状溝８１〜８４と、を備える。
【００７６】
本実施形態によれば、シール部材７５の近傍にグリス保持用環状溝８１〜８４が設けられているので、シール部材７５（シール保持環状凹部４ｄ）への異物の侵入を抑制できる。従って、シール部材７５への異物の付着などにより発生する不具合を抑制できる。ヘッド基管５４、吸引ノズル４及びシール部材７５におけるスライド性を向上できる。そのため、挿通構造体１０１は、ヘッド基管５４、吸引ノズル４及びシール部材７５における摩耗や破損を抑制できる。
【００７７】
本実施形態によれば、グリス保持用環状溝８１〜８４は、軸方向Ｄ１にスライド移動されるので、グリス保持用環状溝８１〜８４に収容されたグリスＧ１は、吸引ノズル４（ノズル外挿部４ｂ）の内周面４ｊとヘッド基管５４（先端側細径部５４ｂ）の外周面５４ｄとの間を、面状にシールする。そのため、挿通構造体１０１は、シール部材７５（シール保持環状凹部４ｄ）への異物の侵入を抑制できる。従って、挿通構造体１０１は、シール部材７５への異物の付着などにより発生する不具合を抑制できる。
【００７８】
また、本実施形態においては、グリス保持用環状溝８１〜８４は、シール保持環状凹部４ｄに対して、ヘッド基管５４（内挿部材）及び吸引ノズル４（外挿部材）の軸方向Ｄ１の両側に、それぞれ設けられる。そのため、挿通構造体１０１は、シール部材７５（シール保持環状凹部４ｄ）への異物の侵入をより好適に抑制できると共に、ヘッド基管５４、吸引ノズル４及びシール部材７５におけるスライド性を向上できる。従って、挿通構造体１０１は、ヘッド基管５４、吸引ノズル４及びシール部材７５における摩耗や破損を抑制できる。
【００７９】
また、本実施形態においては、挿通構造体１０１を含むフィルタ洗浄ヘッド５３は、ヘッド基管５４（内挿部材）及び吸引ノズル４（外挿部材）の外側が液体で加圧環境下において使用される。更には、本実施形態によれば、グリスは撥水性である。
本実施形態によれば、グリス保持用環状溝８１，８２が軸方向Ｄ１における先端側Ｄ１２（フィルタ５２側）に設けられているので、グリスＧ１は、加圧状態の被処理水Ｗ１の側（吸引ノズル４の外側）に流れにくいため、シール部材７５とグリス保持用環状溝８１，８２との間に（面状又は充填されるように）保持される。これにより、挿通構造体１０１は、シール部材７５への異物の侵入を抑制できると共に、ヘッド基管５４、吸引ノズル４及びシール部材７５におけるスライド性を向上できる。そのため、挿通構造体１０１は、ヘッド基管５４、吸引ノズル４及びシール部材７５における摩耗や破損を抑制できる。
【００８０】
〔第１変形例〕
続けて、第１実施形態における第１変形例について、図面を参照しながら説明する。図５は、第１実施形態の第１変形例におけるシール部材７５Ａの周辺の部分拡大図である。
変形例では、主に第１実施形態との相違点について説明する。このため、第１実施形態と同一（又は同等）の構成については、詳細な説明を省略する。また、変形例において特に説明しない点については、第１実施形態の説明が適宜に適用される。
【００８１】
図５に示すように、第１変形例においては、シール部材７５Ａは、断面が略Ｘ状のＸ型リングである。第１変形例において、上述と同様に、グリス保持用環状溝８１Ａ〜８４Ａは、ヘッド基管５４及び吸引ノズル４の軸方向Ｄ１において、シール保持環状凹部４ｄと並んで配置される。グリス保持用環状溝８１Ａ〜８４Ａは、シール保持環状凹部４ｄに対して、ヘッド基管５４及び吸引ノズル４の軸方向Ｄ１における両側に、それぞれ設けられる。具体的には、グリス保持用環状溝８１Ａ，８２Ａは、軸方向Ｄ１における先端側Ｄ１２（フィルタ５２側）に設けられる。グリス保持用環状溝８３Ａ，８４Ａは、軸方向Ｄ１における基端側Ｄ１１に設けられる。
【００８２】
第１変形例においては、シール部材７５ＡとしてＸ型リングを使用しているので、Ｏリングを使用した場合よりも、シール部材７５Ａとヘッド基管５４との接触面積が広くなる。そのため、シール性を更に向上できる。また、シール部材７５Ａとヘッド基管５４との接触面積が広くなるので、グリスＧ１によるスライド性向上の効果は更に大きい。
【００８３】
〔第２変形例〕
続けて、第１実施形態における第２変形例について、図面を参照しながら説明する。図６は、第１実施形態の第２変形例におけるシール部材７５Ｂの周辺の部分拡大図である。
図６に示すように、シール部材７５Ｂは、環状のゴム等の弾性材料あるいは摺動性の良い高分子材料からなり、断面視で、フィルタ洗浄ヘッド５３の基端側Ｄ１１に開放する略Ｕ字状に形成されている。シール部材７５Ｂは、バリシールとも呼ばれるシール部材である。
【００８４】
第２変形例において、上述と同様に、グリス保持用環状溝８１Ｂ〜８４Ｂは、ヘッド基管５４及び吸引ノズル４の軸方向Ｄ１において、シール保持環状凹部４ｄと並んで配置される。グリス保持用環状溝８１Ｂ〜８４Ｂは、シール保持環状凹部４ｄに対して、ヘッド基管５４及び吸引ノズル４の軸方向Ｄ１における両側に、それぞれ設けられる。具体的には、グリス保持用環状溝８１Ｂ，８２Ｂは、軸方向Ｄ１における先端側Ｄ１２（フィルタ５２側）に設けられる。グリス保持用環状溝８３Ｂ，８４Ｂは、軸方向Ｄ１における基端側Ｄ１１に設けられる。
【００８５】
詳細な説明を省略するが、シール部材７５Ｂに対して軸方向Ｄ１における基端側Ｄ１１には、シール部材７５Ｂが基端側Ｄ１１へ抜けることを防止するための抜け止め構造部９１が設けられる。抜け止め構造部９１は、複数の部材の組合せから構成される。グリス保持用環状溝８３Ｂ，８４Ｂは、抜け止め構造部９１におけるシール部材７５Ｂに軸方向Ｄ１に隣接する部材に設けられる。
【００８６】
第２変形例においては、シール部材７５Ｂとしてヘッド基管５４の外周面５４ｄに面接触するシール部材を使用しているので、シール性が更に向上される。また、Ｏリングを使用した場合よりも、シール部材７５Ｂとヘッド基管５４との接触面積が広くなるので、グリスＧ１によるスライド性向上の効果は更に大きい。
【００８７】
〔第２実施形態〕
続けて、本発明の第２実施形態について、図７を参照しながら説明する。図７は、本発明の第２実施形態の挿通構造体１０２を説明する部分拡大図である。
第２実施形態（及び後述の第３実施形態）では、主に第１実施形態との相違点について説明する。このため、第１実施形態と同一（又は同等）の構成については、詳細な説明を省略する。また、第２実施形態において特に説明しない点については、第１実施形態の説明が適宜に適用される。
【００８８】
本実施形態の挿通構造体１０２は、バラスト水濾過装置２の下部に配置される（図１参照）。本実施形態において、内挿部材は、フィルタ５２の下閉止部１４（底部）から下方に向けて突出する下部回転軸部材１６である。外挿部材は、ケーシング５１の底部１１である。下部回転軸部材１６は、ケーシング５１の底部１１に対して回転すると共に、フィルタ５２の軸方向Ｄ２にスライドする。なお、下部回転軸部材１６のスライドは、積極的にスライドさせものではなく、いわゆるガタに相当するものである。
【００８９】
シール保持環状凹部４ｄは、ケーシング５１の底部１１における下部回転軸部材１６と対向する内周面に設けられる。シール部材７５Ｄは、シール保持環状凹部４ｄに配置され、ケーシング５１の底部１１の内周面と下部回転軸部材１６の外周面との間の液密のための環状液密シール部材である。シール保持環状凹部４ｄの上方には、シール部材７５Ｄが上方へ抜けることを防止するための抜け止めリング部材９６が配置される。グリス保持用環状溝８５は、シール保持環状凹部４ｄの近傍に設けられ、グリスＧ１を収容し、保持するための環状の溝である。
【００９０】
本実施形態において、グリス保持用環状溝８５は、フィルタ５２及びケーシング５１の軸方向Ｄ２に、シール部材７５Ｄが収容されるシール保持環状凹部４ｄと並んで設けられる。グリス保持用環状溝８５は、軸方向Ｄ２において、シール部材７５Ｄに対して被処理水Ｗ１の側（ケーシング５１の外側。下側）に設けられる。
【００９１】
本実施形態においては、挿通構造体１０２は、フィルタ５２（下部回転軸部材１６）とケーシング５１（底部１１）とのシール性を向上させる。また、挿通構造体１０２は、フィルタ５２、ケーシング５１及びシール部材７５Ｄにおける異物の付着による摩耗等の不具合の発生を抑制できる。また、挿通構造体１０２は、フィルタ５２、ケーシング５１及びシール部材７５Ｄのスライド性を向上させる。本実施形態における作用効果は、第１実施形態に記載の作用効果の記載を、外挿部材及び内挿部材について読み替えた形で援用することができる。
【００９２】
〔第３実施形態〕
続けて、本発明の第３実施形態について、図８を参照しながら説明する。図８は、本発明の第３実施形態の挿通構造体１０３を説明する部分拡大図である。
【００９３】
本実施形態の挿通構造体１０３は、バラスト水濾過装置２の上部に配置される（図１参照）。本実施形態において、内挿部材は、フィルタ５２の上閉止部１３（天部）から上方に向けて突出する上部回転軸部材１５である。外挿部材は、ケーシング５１の蓋部１０（天部）である。上部回転軸部材１５は、ケーシング５１の蓋部１０に対して回転すると共に、フィルタ５２の軸方向Ｄ２にスライドする。なお、上部回転軸部材１５のスライドは、積極的にスライドさせものではなく、いわゆるガタに相当するものである。
【００９４】
シール保持環状凹部４ｄは、ケーシング５１の蓋部１０における上部回転軸部材１５と対向する内周面に設けられる。シール部材７５Ｅは、シール保持環状凹部４ｄに配置され、ケーシング５１の蓋部１０の内周面と上部回転軸部材１５の外周面との間の液密のための環状液密シール部材である。シール保持環状凹部４ｄの上方には、シール部材７５Ｅが上方へ抜けることを防止するための抜け止めリング部材９７が配置される。グリス保持用環状溝８６，８７は、シール保持環状凹部４ｄの近傍に設けられ、グリスＧ１を収容し、保持するための環状の溝である。
【００９５】
本実施形態において、グリス保持用環状溝８６，８７は、フィルタ５２及びケーシング５１の軸方向Ｄ２に、シール部材７５Ｅが収容されるシール保持環状凹部４ｄと並んで設けられる。グリス保持用環状溝８６，８７は、軸方向Ｄ２において、シール部材７５Ｅに対して濾過処理水Ｗ２の側（フィルタ５２の側。下側）に設けられる。
【００９６】
本実施形態においては、挿通構造体１０３は、フィルタ５２（上部回転軸部材１５）とケーシング５１（蓋部１０）とのシール性を向上させる。また、挿通構造体１０３は、フィルタ５２、ケーシング５１及びシール部材７５Ｄにおける異物の付着による摩耗等の不具合の発生を抑制できる。また、挿通構造体１０３は、フィルタ５２、ケーシング５１及びシール部材７５Ｄのスライド性を向上できる。本実施形態における作用効果は、第１実施形態に記載の作用効果の記載を、外挿部材及び内挿部材について読み替えた形で援用することができる。
【００９７】
以上、本発明の好ましい実施形態について説明した。しかし、本発明は、上述した実施形態に限定されることなく、種々の形態で実施することができる。
上述の実施形態において、グリス保持用環状溝は、外挿部材の内周面に設けられているが、これに限定されない。グリス保持用環状溝は、内挿部材における外挿部材と対向する外周面に設けられていてもよい。グリス保持用環状溝は、外挿部材の内周面の及び内挿部材の外周面の両方に設けられていてもよい。
【００９８】
また、グリス保持用環状溝は、内挿部材及び外挿部材におけるシール保持環状凹部が設けられた部材と同じ部材に設けられているが、これに限定されず、他方の部材に設けられていてもよい。
【００９９】
また、グリス保持用環状溝は、スライド移動する方向（軸方向Ｄ１又は軸方向Ｄ２）においてシール保持環状凹部の両側に設けられることが好ましいが、これに限定されず、一方側のみに設けられていてもよい。この場合、グリス保持用環状溝は、シール保持環状凹部に対して、加圧状態の液体の側に配置される。また、グリス保持用環状溝の数は、１つでもよく、複数でもよい。また、グリス保持用環状溝の数は、異物が侵入しやすい側の数を多くしてもよい。
【０１００】
また、グリス保持用環状溝の大きさは特に制限されない。グリスの保持性、溝の周辺の強度や溝の製造性に応じて設定できる。一例として、断面が直方形の場合、一辺が２〜５ｍｍの溝を例示できるが、これに限定されない。また、グリス保持用環状溝のサイズ（断面積）は、シール保持環状凹部の両側で同じである必要はなく、異なるサイズにすることができる。また、グリス保持用環状溝の形状は、断面が正方形に限定されず、長方形、円形、楕円形、三角形、多角形、楕円や半円等であってもよい。
付勢部材は、コイルバネ７４に制限されず、他の構成の付勢部材であってもよい。
【符号の説明】
【０１０１】
４  吸引ノズル（外挿部材）
４ｄ  シール保持環状凹部
４ｊ  内周面
１０  蓋部（天部、外挿部材）
１１  底部（外挿部材）。
１３  上閉止部（天部）
１４  下閉止部（底部）
１５  上部回転軸部材（内挿部材）
１６  下部回転軸部材（内挿部材）
２８  逆洗汚水排出管（逆洗汚水ライン）
５１  ケーシング
５２  フィルタ
５３  フィルタ洗浄ヘッド
５４  ヘッド基管（内挿部材）
５４ｄ  外周面
７５、７５Ａ、７５Ｂ、７５Ｄ、７５Ｅ  シール部材（環状液密シール部材）
８１〜８７  グリス保持用環状溝
１０１、１０２、１０３      挿通構造体
Ｄ１、Ｄ２  軸方向
Ｗ１  被処理水
Ｗ２  逆洗水、濾過処理水
【図１】
2017089799.tif 000003
【図２】
2017089799.tif 000004
【図３】
2017089799.tif 000005
【図４】
2017089799.tif 000006
【図５】
2017089799.tif 000007
【図６】
2017089799.tif 000008
【図７】
2017089799.tif 000009
【図８】
2017089799.tif 000010